(57)【要約】【課題】従来の躯体と耐震補強材との接合構造では、作業が煩雑となるとともに施工期間も長くなるという課題があった。【解決手段】耐震補強材３が既存建物の躯体の一側面に接合された建物であって、耐震補強材３を柱１３に接合する接合手段４０が、柱１３の前面に設けられた耐震補強材の一方の側面と他方の側面とに跨って貫通するねじ棒通し孔４１と、ねじ棒通し孔に通されて両端がねじ棒通し孔より突出したねじ棒４２と、柱の両側面に個別に取付けられてねじ棒の端部を個別に支持する一対の取付具４３と、ねじ棒に螺着されて耐震補強材の両側面５３；５３に締結されることによって耐震補強材のねじ棒の軸に沿った方向への移動を規制する締結具（ナット４５）と、ねじ棒に螺着されて取付具４３の両側面（側板５０；５０）に締結されることによって取付具のねじ棒の軸に沿った方向への移動を規制する締結具（ナット４６；４７）とを備えたことを特徴とする。【選択図】図１
2008138407.tif 000002
【特許請求の範囲】
【請求項１】
耐震補強材が既存建物の躯体の一側面に接合された建物であって、耐震補強材を柱に接合する接合手段が、柱の前面に設けられた耐震補強材の一方の側面と他方の側面とに跨って貫通するねじ棒通し孔と、ねじ棒通し孔に通されて両端がねじ棒通し孔より突出したねじ棒と、柱の両側面に個別に取付けられてねじ棒の端部を個別に支持する一対の取付具と、ねじ棒に螺着されて耐震補強材の両側面に締結されることによって耐震補強材のねじ棒の軸に沿った方向への移動を規制する締結具と、ねじ棒に螺着されて取付具の両側面に締結されることによって取付具のねじ棒の軸に沿った方向への移動を規制する締結具とを備えたことを特徴とする建物。
【請求項２】
耐震補強材が既存建物の躯体の一側面に接合された建物であって、耐震補強材を柱に接合する接合手段が、柱の前面に設けられた耐震補強材の下面に形成された嵌合孔と、固定具と、嵌合孔に嵌合する嵌合棒を備えて嵌合棒が嵌合孔に嵌合された状態で固定具により柱に固定された取付具とを備えたことを特徴とする建物。
【請求項３】
耐震補強材が既存建物の躯体の一側面に接合された建物であって、耐震補強材を床に接合する接合手段が、耐震補強材の下面に形成された嵌合孔と、固定具と、嵌合孔に嵌合する嵌合棒を備えて嵌合棒が嵌合孔に嵌合された状態で固定具により床に固定された取付具とを備えたことを特徴とする建物。
【請求項４】
耐震補強材が既存建物の躯体の一側面に接合された建物であって、耐震補強材を柱に接合する接合手段が、柱の前面と柱の前面の前側に設けられる耐震補強材との間に挟まれた被挟み部と被挟み部の両側面より延長して柱の両側面を挟む挟み部と被挟み部の両側面より延長して耐震補強材の両側面を挟む挟み部とを有して耐震補強材を柱の前方に位置決めする位置決め具と、位置決め具によって柱の前方に位置された耐震補強材と位置決め具の被挟み部と柱と接合されることで位置決め具と耐震補強材とを柱に固定する固定具とを備えたことを特徴とする建物。
【請求項５】
耐震補強材が既存建物の躯体の一側面に接合された建物であって、耐震補強材を柱に接合する接合手段が、柱と柱の前面に配置された耐震補強材とを有した柱部と、隣り合う柱と、柱部と柱との間に設置された取付具と、隣り合う柱と柱部の耐震補強材とに取付具を固定する固定具とを備えたことを特徴とする建物。
【請求項６】
耐震補強材が、既存建物の独立した柱と梁とに跨って当該柱と梁とに接合された建物であって、耐震補強材を柱に接合する接合手段が、柱と柱の前面に配置された耐震補強材とを備えた柱部と、柱部の前面と後面とに個別に設置されて両端部が柱部の側面より突出するよう位置された一対の挟み具と、一対の挟み具の両端に形成された棒通し孔と、両端に形成されたねじ部が挟み具の棒通し孔に通された連結棒と、連結棒のねじ部に螺着されて一方の挟み具を耐震補強材の前面に付勢し他方の挟み具を柱の後面に付勢する締結具とを備えたことを特徴とする建物。
【請求項７】
耐震補強材と梁とがピン接合により接合され、ピン接合が、梁の外面より突出するよう梁に接合されたピン部と、ピン部の中心軸を回転中心として回転が許容された状態にピン部と接合された耐震補強材の取付部とにより形成され、取付部が、梁の外面と対向する耐震補強材の表裏面に跨って貫通するピン挿入孔により形成され、ピン部が、梁の外面より突出するよう梁に接合されたピンにより形成されたか、あるいは、梁の外面より突出するよう梁に接合されたピンとこのピンがピン挿入孔に挿入された状態でピンとピン挿入孔との間に充填された固化剤とにより形成されたことを特徴とする請求項１乃至請求項６のいずれかに記載の建物。
【請求項８】
耐震補強材が、Ｔ字形状であることを特徴とする請求項１乃至請求項７のいずれかに記載の建物。
【発明の詳細な説明】
【技術分野】
【０００１】
本発明は、既存建物の柱への耐震補強材の接合作業の容易な建物に関する。
【背景技術】
【０００２】
既存建物の躯体にアンカーボルトを接合し、躯体より突出するアンカーボルトの頭部に耐震補強材を連結し、この連結部分の周囲にコンクリートやモルタルを打設することで躯体と耐震補強材とを接合した建物が知られている。
【特許文献１】特開平１０−１５２９９７号公報
【発明の開示】
【発明が解決しようとする課題】
【０００３】
しかしながら、上記従来の躯体と耐震補強材との接合構造では、連結部分の周囲にコンクリートやモルタルを打設しなければならないので、型枠設置作業、打設作業が必要となり、また、コンクリートやモルタルを硬化させる期間も必要となるため、作業が煩雑となるとともに施工期間も長くなるという課題があった。
【課題を解決するための手段】
【０００４】
本発明の建物は、耐震補強材が既存建物の躯体の一側面に接合された建物であって、耐震補強材を柱に接合する接合手段が、柱の前面に設けられた耐震補強材の一方の側面と他方の側面とに跨って貫通するねじ棒通し孔と、ねじ棒通し孔に通されて両端がねじ棒通し孔より突出したねじ棒と、柱の両側面に個別に取付けられてねじ棒の端部を個別に支持する一対の取付具と、ねじ棒に螺着されて耐震補強材の両側面に締結されることによって耐震補強材のねじ棒の軸に沿った方向への移動を規制する締結具と、ねじ棒に螺着されて取付具の両側面に締結されることによって取付具のねじ棒の軸に沿った方向への移動を規制する締結具とを備えたことを特徴とする。
本発明の建物は、耐震補強材が既存建物の躯体の一側面に接合された建物であって、耐震補強材を柱に接合する接合手段が、柱の前面に設けられた耐震補強材の下面に形成された嵌合孔と、固定具と、嵌合孔に嵌合する嵌合棒を備えて嵌合棒が嵌合孔に嵌合された状態で固定具により柱に固定された取付具とを備えたことを特徴とする。
本発明の建物は、耐震補強材が既存建物の躯体の一側面に接合された建物であって、耐震補強材を床に接合する接合手段が、耐震補強材の下面に形成された嵌合孔と、固定具と、嵌合孔に嵌合する嵌合棒を備えて嵌合棒が嵌合孔に嵌合された状態で固定具により床に固定された取付具とを備えたことを特徴とする。
本発明の建物は、耐震補強材が既存建物の躯体の一側面に接合された建物であって、耐震補強材を柱に接合する接合手段が、柱の前面と柱の前面の前側に設けられる耐震補強材との間に挟まれた被挟み部と被挟み部の両側面より延長して柱の両側面を挟む挟み部と被挟み部の両側面より延長して耐震補強材の両側面を挟む挟み部とを有して耐震補強材を柱の前方に位置決めする位置決め具と、位置決め具によって柱の前方に位置された耐震補強材と位置決め具の被挟み部と柱と接合されることで位置決め具と耐震補強材とを柱に固定する固定具とを備えたことを特徴とする。
本発明の建物は、耐震補強材が既存建物の躯体の一側面に接合された建物であって、耐震補強材を柱に接合する接合手段が、柱と柱の前面に配置された耐震補強材とを有した柱部と、隣り合う柱と、柱部と柱との間に設置された取付具と、隣り合う柱と柱部の耐震補強材とに取付具を固定する固定具とを備えたことを特徴とする。
本発明の建物は、耐震補強材が、既存建物の独立した柱と梁とに跨って当該柱と梁とに接合された建物であって、耐震補強材を柱に接合する接合手段が、柱と柱の前面に配置された耐震補強材とを備えた柱部と、柱部の前面と後面とに個別に設置されて両端部が柱部の側面より突出するよう位置された一対の挟み具と、一対の挟み具の両端に形成された棒通し孔と、両端に形成されたねじ部が挟み具の棒通し孔に通されたの連結棒と、連結棒のねじ部に螺着されて一方の挟み具を耐震補強材の前面に付勢し他方の挟み具を柱の後面に付勢する締結具とを備えたことを特徴とする。
耐震補強材と梁とがピン接合により接合され、ピン接合が、梁の外面より突出するよう梁に接合されたピン部と、ピン部の中心軸を回転中心として回転が許容された状態にピン部と接合された耐震補強材の取付部とにより形成され、取付部が、梁の外面と対向する耐震補強材の表裏面に跨って貫通するピン挿入孔により形成され、ピン部が、梁の外面より突出するよう梁に接合されたピンにより形成されたか、あるいは、梁の外面より突出するよう梁に接合されたピンとこのピンがピン挿入孔に挿入された状態でピンとピン挿入孔との間に充填された固化剤とにより形成されたことも特徴とする。
耐震補強材が、Ｔ字形状であることも特徴とする。
【発明の効果】
【０００５】
本発明の建物によれば、耐震補強材が、型枠設置作業、打設作業の不要な接合手段によって既存建物に接合されたので、既存建物の柱への耐震補強材の接合作業を容易に行え、かつ、施工期間も短くできるという効果が得られる。
また、既存建物の梁と耐震補強材とが回転を許容する接合、即ち、ピン接合によって接合されたので、地震時において、躯体と耐震補強材との接合部に曲げモーメントを作用させない（つまり、接合部に曲げモーメントを伝えない）ため、躯体と耐震補強材間の応力伝達が明快となり、ピン接合の設計においてせん断力だけを考慮すればよくなり、設計が容易となる。また、ピン接合が、梁に固定されたピン部と、ピン部と接合された耐震補強材の取付部とにより形成され、取付部が、ピン挿入孔により形成され、ピン部が、梁に固定されたピン、あるいは、ピンと固化剤とにより形成されたので、梁の外面に耐震補強材を容易に接合できる。また、ピンの表面と固化剤とによる互いの回転を許容するピン接合部分、あるいは、ピン挿入孔と固化剤とによる互いの回転を許容するピン接合部分を容易に形成できる。
Ｔ字形状に形成された耐震補強材を用いたことにより、建物の外から見た場合の外観を損なわせたり、室内から開口部を通した眺望及び開口部を通る人の出入を妨げることなく、かつ、建物の耐震効果を向上させることができる。また、耐震補強材を効率的に使用でき、また、耐震補強材の梁の外面に沿った長さを長くすることができて、地震の際の力に対する耐震補強材の強度を向上でき、建物の耐震効果を向上させることができる。
【発明を実施するための最良の形態】
【０００６】
図１乃至図４は最良の形態１を示す。図１（ａ）は、接合手段の取付具を示す斜視図、図１（ｂ）は、接合手段によって柱に接合された耐震補強材の下端部を示す正面図、図１（ｃ）は、接合手段によって柱に接合された耐震補強材の下端部を示す側面図、図２は、既存建物の梁と耐震補強材との接合手段及び接合方法を示す図、図３は、建物をベランダ側から見た正面図である。
【０００７】
図３を参照し、耐震補強材が取り付けられた建物を説明する。
建物１は、既存建物２と、既存建物２の外部に面した開口部１２の周りの躯体である柱１３と梁４とに跨って当該柱１３と梁４とに接合された耐震補強材３とにより形成される。
開口部１２は、例えば、集合住宅建物の各戸の室内からベランダ１１への出入口となる開口部、集合住宅建物の各戸の廊下から室内への出入口となる開口部、窓のような開口部である。
耐震補強材３は、例えば、Ｔ字形状の平板に作製されたコンクリート板を用いる。高強度コンクリートにより形成された耐震補強材３を使用すれば、耐震強度を大きくできて好ましい。
耐震補強材３のＴ字の横部７の両方の端部８；８には、それぞれ、耐震補強材３を形成する板の両面を貫通するピン挿入孔３３が形成される。
Ｔ字形状に形成された耐震補強材３の大きさは、例えば、高さ＝２５００ｍｍ、横幅＝５０００ｍｍ、板厚＝１５０ｍｍ、横部７の高さ＝５００ｍｍ、縦部９の横幅＝８００ｍｍ、ピン挿入孔３３の径１００ｍｍである。
【０００８】
耐震補強材３は、Ｔ字の横部７の両方の端部８；８が、既存建物２の外部に面した躯体である梁４の外面５にピン接合６で取り付けられるとともに、Ｔ字の縦部９の下端部１０が、接合手段４０により柱１３に取り付けられる。
即ち、Ｔ字形状の耐震補強材３が、開口部１２を塞がないように、既存建物２の外部に面した開口部１２の周りの柱１３と梁４とに跨って当該柱１３と梁４とに接合される。
耐震補強材３の高さＨは、下階のベランダ１１の床の上面と上階のベランダ１１の床の下面との間の距離Ｋより短い長さに形成される。耐震補強材３の高さＨが距離Ｋより短く形成されているので、ベランダ１１上に耐震補強材３をＴ字状態で搬入して耐震補強材３をそのままの状態で柱１３及び梁４の方向に移動させてから当該柱１３と梁４とに接合できるため、耐震補強材３の接合作業が容易となる。
【０００９】
図１を参照し、耐震補強材３の下端部１０を柱１３に接合する接合手段４０を説明する。
接合手段４０は、柱１３の外面である前面１３ａに位置された耐震補強材３の下端部１０における両方の側面５３；５３とに跨って貫通するねじ棒通し孔４１と、ねじ棒通し孔４１に通されて両端がねじ棒通し孔より突出したねじ棒４２と、取付具４３と、取付具４３を柱１３の外面である側面５４に固定する固定具としてのアンカー４４と、締結具としてのナット４５；４６；４７と、柱１３の側面５４に形成されたアンカー固定孔４８とにより構成される。
【００１０】
図１（ａ）に示すように、取付具４３は、断面コ字状の長尺鋼材により形成される。即ち、基板４９と基板４９の両側面より同じ方向に立ち上がるように設けられて互いに平行に相対峙する一対の側板５０；５０とにより形成される。相対峙する一対の側板５０；５０には、側板５０の面と直交する一直線上において互いに対向する位置に形成された貫通孔からなるねじ棒通し孔５１及びアンカー通し孔５２が設けられる。このねじ棒通し孔５１及びアンカー通し孔５２は、側板５０の長手方向に沿って所定の間隔を隔てて複数設けられる。例えば、側板５０の長手方向の一端部に設けられた一個のねじ棒通し孔５１が、柱１３の外面を形成する外面１４に接触するよう設けられた耐震補強材３の下端部１０の側面５３の横に位置され、その他の３個のアンカー通し孔５２が、柱１３の側面５４の横に位置される。
ねじ棒４２としては、外周面にねじ部を備えた例えば高強度鋼材よりなるＰＣ鋼棒と呼ばれるねじ棒を用いる。
アンカー４４としては、例えば、先端部に樹脂接着剤を封入した袋を備えていて袋を打撃力で破ることで孔内に充填される樹脂接着剤によって孔に接合される樹脂系アンカー（図４（ｃ）、図６（ｃ）参照）や、打撃力によって先端部の金属を孔に係合させることによって孔に接合される金属系アンカーを用いる。
ナット４５は、ねじ棒４２に螺着されて耐震補強材３の両側面５３；５３に締結されることによって耐震補強材３のねじ棒４２の軸に沿った方向への移動を規制する。
ナット４６；４７は、ねじ棒４２に螺着されて取付具４３の両側面である側板５０；５０に締結されることによって、取付具４３のねじ棒４２の軸に沿った方向への移動を規制する。
【００１１】
次に、耐震補強材３の下端部１０の柱１３への接合方法を説明する。まず、柱１３の側面５４；５４にアンカー接合孔４８を形成する。ねじ棒４２を柱１３のねじ棒通し孔４１に通した後にねじ棒４２の両端に座金４５ａ及びナット４５を螺入してナット４５を柱１３の側面５３に締結することによって、ねじ棒４２が軸に沿った方向に移動不能な状態に耐震補強材３に取付けられる。次に、ねじ棒４２の両端にナット４６及び座金４６ａを螺入してからねじ棒４２の端部を取付具４３のねじ棒通し孔５１に通してねじ棒４２の両端部に取付具４３を取り付け、その後、ねじ棒の両端部に座金４７ａとナット４７を螺入する。取付具４３の側板５０のアンカー通し孔５２とアンカー接合孔４８とを一致させた状態で、アンカー４４をアンカー４４の先端側からアンカー通し孔５２に通してアンカー固定孔４８に固定することにより、取付具４３が柱１３の側面５４に固定される。そして、取付具４３の両方の側面（側板５０の外面）側のねじ棒４２に螺着されているナット４６；４７を取付具４３の側板５０に締結する。以上により、ねじ棒４２がナット４６；４７で取付具４３に固定され、耐震補強材３がナット４５でねじ棒４２に固定された状態となる。即ち、アンカー４４で柱１３の側面５４に固定された取付具４３と、ナット４６；４７で取付具４３に固定されたねじ棒４２と、ナット４５でねじ棒４２に固定された耐震補強材３とを備えた構成によって、耐震補強材３の下端部１０が柱１３に接合される。
【００１２】
図２（ｃ）を参照し、耐震補強材３の横部７の両方の端部８；８と梁４の外面５とのピン接合６の構造を説明する。
ピン接合６は、梁４の外面５より突出するよう梁４に接合されたピン部１５と、ピン部１５の中心軸を回転中心として回転が許容された状態にピン部１５と接合された耐震補強材３の取付部１６と、取付部１６によりピン部１５に取り付けられた耐震補強材３の脱落を防止する脱落防止部１７とにより形成される。
梁４に対するピン部１５の接合部１８の構造は、梁４の外面５に形成されたピン接合孔１９と、ピン接合孔１９に挿入されたピン２０と、ピン２０とピン接合孔１９との間に充填された固化剤２１と、ピン接合孔１９の内側に位置されるピン２０の表面に形成された固化剤２１とのピン側係合部２２と、ピン接合孔１９の内面に形成された固化剤２１との孔側係合部２３とにより形成される。ピン側係合部２２と孔側係合部２３とを備えたことで、ピン接合孔１９からのピン２０の脱落を防止できる構造を提供できる。
取付部１６は、梁４の外面５と対向する耐震補強材３の表面３１および裏面３２に跨って貫通するピン挿入孔３３により形成される。
既存建物２の躯体及び耐震補強材３の回転中心となるピン部１５は、上述したように梁４の外面５より突出するよう梁４に接合されたピン２０、あるいは、梁４の外面５より突出するよう梁４に接合されたピン２０と、このピン２０がピン挿入孔３３に挿入された状態でピン２０とピン挿入孔３３との間に充填された固化剤３４とにより形成される。
固化剤２１；３４としては、無収縮モルタル、無収縮セメント、エポキシ接着剤のような樹脂が用いられる。
脱落防止部１７は、ピン挿入孔３３の内側に位置されるピン２０の表面に形成されたピン側係合部３５と、ピン挿入孔３３の内面に形成された孔側係合部３６とにより形成される。即ち、ピン２０とピン挿入孔３３との間に充填された固化剤３４と係合するピン側係合部３５と孔側係合部３６とを備えたので、ピン部１５からの耐震補強材３の脱落を防止できる構造を提供できる。
ピン２０は、鋼材、あるいは、鋼管内にコンクリートやモルタルなどの充填材を充填したものにより形成される。
ピン２０は、円柱体の円形外周面に凸部を備えることによって、円柱体の外周面の周囲を取り囲む輪状の凹部及び凸部を備えた形態である。この輪状の凹部がピン側係合部３５を形成する。
ピン挿入孔３３は、円形断面ねじ棒通し孔の内周面に凹部を備える。凹部は、円形の内周面に沿って連続する輪状の凹部である。この輪状の凹部が孔側係合部３６を形成する。
即ち、ピン側係合部３５及び孔側係合部３６は、ピン２０の中心軸を回転中心として固化剤３４に対して回転可能な構成である。
ピン挿入孔３３に挿入されたピン２０の表面と固化剤３４とによって互いの回転を許容するピン接合部分が形成された場合には、ピン２０によりピン部１５が形成されることになる。
ピン挿入孔３３の内面と固化剤３４とによって互いの回転を許容するピン接合部分が形成された場合には、ピン２０と固化剤３４とによりピン部１５が形成されることになる。
従って、ピン２０とピン挿入孔３３との間に固化剤３４を充填し、固化剤３４が固化することによって、固化剤３４に対して回転可能なピン２０によるピン部１５、あるいは、ピン挿入孔３３の内面に対して回転可能なピン２０と固化剤３４とによるピン部１５を容易に形成できる。
【００１３】
図２を参照し、ピン接合６の施工方法を説明する。まず、梁４の外面５にピン接合孔１９を形成する。ピン接合孔１９はコアドリル等を用いて穿孔することにより形成する。ピン接合孔１９の内面に凹凸による孔側係合部２３を形成する（図１（ａ）参照）。ピン接合孔１９にピン２０の一端部を挿入してピン接合孔の開口からピン２０の表面とピン接合孔１９の内面との間に固化剤２１を充填し、固化剤２１を固化させることによって、ピン２０が梁４に接合される（図１（ｂ）参照）。この際、ピン接合孔１９の孔側係合部２３と固化剤２１とが係合し、ピン２０のピン側係合部２３とが固化剤２１とが係合するので、ピン接合孔１９からのピン２０の脱落を防止でき、梁４にピン２０を確実に接合できる。
次に、梁４の外面５より突出するピン２０の他端部を耐震補強材３のピン挿入孔３３内に通し、耐震補強材３の裏面３１と梁４の外面５とを互いに接触させた状態で、ピン挿入孔３３の開口からピン２０の他端部の表面とピン挿入孔３３の内面との間に固化剤３４を充填し、固化剤３４を固化させる。
以上により、梁４と耐震補強材３とが、ピン部１５を介して互いに回転可能に取り付けられる。即ち、梁４と耐震補強材３とがピン接合６により互いに接合される。また、ピン側係合部３５と固化剤３４との孔側係合部３６と固化剤３４とに係合により、ピン部１５からの耐震補強材３の脱落を防止できる。
【００１４】
以上説明したように、各階のベランダ１１の柱１３の１つ１つに対応して耐震補強材３を取り付けていくことによって、耐震補強材３が、既存建物２の外部に面した開口部１２の周りの柱１３の外面１４と梁４の外面５とに跨って当該柱１３と梁４とに接合された構造の建物１を構築できる。
【００１５】
最良の形態１によれば、接合手段４０による耐震補強材３の下端部１０と柱１３との接合の際、及び、耐震補強材３と梁４とのピン接合６の際に、コンクリートやモルタルの打設作業を不要とできるので、型枠設置作業、打設作業を不要でき、コンクリートやモルタルを乾燥させる期間も不要となる。
従って、既存建物２の柱１３や梁４への耐震補強材３の接合作業を容易に行え、かつ、施工期間も短くできるという効果が得られる。
【００１６】
また、ピン接合６の場合、大径のピン２０を用いるとともに躯体に大径のピン固定孔１９を形成しなければならないが、耐震補強材３の下端部１０をピン接合６により柱１３に接合する場合、柱１３の内部には梁４の内部と比べて多くの鉄筋が配筋されているため、梁４にピン固定孔１９する場合と比べて柱１３にピン固定孔１９を形成する場合には柱１３の内部の鉄筋が邪魔になることが多く、ピン固定孔１９の形成作業が困難である。
一方、最良の形態１によれば、柱１３に対してアンカー固定孔４８のような小径の孔を形成すればよいので、アンカー固定孔４８の形成に際して柱１３の内部の鉄筋が邪魔になることが少なく、柱１３にアンカー固定孔４８を形成する作業を容易とできる。
【００１７】
また、従来の方法であれば、コンクリートやモルタルを打設の際に耐震補強材が動かないように仮接合する必要があるが、最良の形態１によれば、耐震補強材３の下端部１０と柱１３とを接合手段４０により接合できるので、耐震補強材の仮接合を不要とできる。
さらに、耐震補強材３と梁４とのピン接合６の施工前に、耐震補強材３の下端部１０と柱１３とを接合手段４０により接合することにより、耐震補強材３と梁４とのピン接合６の作業の際には、耐震補強材３の下端部１０が柱１３に接合されているので、耐震補強材３が安定していて倒れることがなく、耐震補強材３と梁４とのピン接合６の作業を安全かつ容易に行える。
【００１８】
また、ピン接合６は、地震時において、ピン２０の表面と固化剤３４との付着、あるいは、ピン挿入孔３３の内面と固化剤３４との付着が切れることによって、ピン部１５を回転中心として躯体と耐震補強材３の端部とが互いに回転を許容された状態となるため、躯体と耐震補強材３との接合部に曲げモーメントを作用させない（つまり、接合部に曲げモーメントを伝えない）ので、梁４と耐震補強材３間の応力伝達が明快となり、耐震補強材３及びピン接合６の設計においてせん断力だけを考慮すればよくなり、設計が容易となる。
さらに、Ｔ字の耐震補強材３がＴ字の端部８；８に形成された２つのピン挿入孔３３の部分でピン接合６され、耐震補強材３に対するピン接合６が２つと少数であるので、梁４から耐震補強材３への応力伝達が明確となり、耐震補強材３及びピン接合６の設計が容易となるとともに、工期の短縮化も可能となる。
【００１９】
また、Ｔ字形状の耐震補強材３を用いて、開口部１２を塞がないように、既存建物２の外部に面した開口部１２の周りの柱１３と梁４とに跨って当該柱１３と梁４とに耐震補強材３を接合したので、室内側から開口部１２を通して室外を見た場合に、耐震補強材３が開口部１２の前方に位置しないので、建物の外から見た場合の外観を損なわせたり、室内から開口部１２を通した眺望を妨げてしまうこともなく、耐震補強材３が開口部１２を通る人の出入を妨げることもない建物１を提供できる。
また、既存建物２の躯体の一側面としての外面、即ち、既存建物２の外部に面した柱１３や梁４の外面に耐震補強材３を接合するので、既存建物２の外側での作業によって接合工事を行えるため、既存建物２の室内に立ち入って工事する場合に比べ、工事に際しての居住者への影響を少なくできる。
【００２０】
また、Ｔ字形状に加工した耐震補強材３を使用したので、１つの耐震補強材３で、１つの柱１３と当該柱１３の左右に設けられた梁４；４とに接合できるので、３つの耐震補強材３で２つの開口部４を囲むように設置でき、耐震補強材３を効率的に使用できる。また、梁４に沿った横部７の長さを長くすることができて、地震の際の力に対する耐震補強材３の強度を向上できるので、耐震効果の高い建物１を提供できる。
【００２１】
最良の形態２
図４を参照し、耐震補強材３の下端部１０を柱１３に接合する接合手段４０を説明する。図４（ａ）は接合手段の取付具を示す斜視図、図４（ｂ）は接合手段によって柱に接合された耐震補強材の下端部を示す正面図、図４（ｃ）は接合手段によって柱に接合された耐震補強材の下端部を示す側面図（一部断面）である。
接合手段４０は、柱１３の前面１３ａに位置される耐震補強材３の下面３ａに形成された嵌合孔５５と、取付具５６と、柱１３の前面１３ａに形成されたアンカー固定孔５７と、取付具５６を柱１３に前面１３ａに固定する固定具としてのアンカー５８とを備える。
取付具５６は、耐震補強材３の下端部１０の下面３ａに接触する補強材側平板部５９と補強材側平板部５９の面と直交する面を有した柱側平板部６０とを備える。補強材側平板部５９には、補強材側平板部５９の両面を貫通する貫通孔６１に貫通状態に溶接などで固定された嵌合棒６２が設けられる。柱側平板部６０には、柱側平板部６０の両面を貫通する複数のアンカー通し孔６３が設けられる。
【００２２】
次に、耐震補強材３の下端部１０の柱１３への接合方法を説明する。まず、柱１３の前面１３ａにアンカー固定孔５７を形成する。耐震補強材３の下面３ａの嵌合孔５５に取付具５６の嵌合棒６２を嵌合させ、取付具５６の補強材側平板部５９を耐震補強材３の下面３ａに接触させ、耐震補強材３を柱１３の前面１３ａに位置させることによって、柱側平板部６０を柱１３の前面１３ａに接触させてアンカー通し孔６３とアンカー固定孔５７とを一致させる。そして、アンカー５８をアンカー５８の先端側からアンカー通し孔６３に通してアンカー固定孔５７に固定して、取付具５６が柱１３の前面１３ａ面に固定されることによって、耐震補強材３の下端部１０が柱１３の前面１３ａに接合される。この場合、アンカー５８として上述した樹脂系アンカーを用いれば、図４（ｃ）に示すように、アンカー固定孔５７内に樹脂接着剤６４が充填されることにより、アンカー５８が樹脂接着剤６４によりアンカー固定孔５７に固定される。尚、取付具５６をアンカー５８で柱１３に固定してから、耐震補強材３の下面３ａの嵌合孔５５に取付具５６の嵌合棒６２を嵌合させて耐震補強材３を取付具５６の補強材側平板部５９に設置してもよい。
【００２３】
最良の形態３
図５を参照し、耐震補強材３の下端部１０を例えばベランダ１１の床１１ａに接合する接合手段４０を説明する。図５（ａ）は、接合手段の取付具を示す斜視図、図５（ｂ）は、接合手段によって柱に接合された耐震補強材の下端部を示す正面図、図５（ｃ）は、図５（ｂ）のＡ−Ａ断面図である。
接合手段４０は、耐震補強材３の下面３ａに形成された嵌合孔６５と、取付具６６と、ベランダ１１の床１１ａに形成されたアンカー固定孔６７と、取付具６６をベランダ１１の床１１ａに固定する固定具としてのアンカー６８とを備える。
取付具６６は、平板状の基板６９と、基板６９に溶接などで固定された嵌合棒７０を備える。基板６９には、基板６９の両面を貫通する複数のアンカー通し孔７１が設けられる。
【００２４】
次に、耐震補強材３の下端部１０の床１１ａへの接合方法を説明する。まず、ベランダ１１の床１１ａにアンカー固定孔６７を形成する。耐震補強材３の下面３ａの嵌合孔６５に取付具６６の嵌合棒７０を嵌合させた状態で、耐震補強材３を柱１３の前面１３ａに位置させるとともに基板６９のアンカー通し孔７１とアンカー固定孔６７とを一致させる。アンカー６８をアンカー６８の先端側からアンカー通し孔７１に通してアンカー固定孔６７に固定して、取付具６６がベランダ１１の床１１ａに固定されたことによって、耐震補強材３の下端部１０がベランダ１１の床１１ａに接合される。
最良の形態３では、取付具６６を柱１３ではなく床１１ａに接合することが最良の形態２と異なる。
また、取付具６６としては、板状のものを用いてもよい。
【００２５】
最良の形態４
図６を参照し、耐震補強材３の下端部１０を柱１３に接合する接合手段４０を説明する。図６（ａ）は、接合手段の位置決め具を示す斜視図、図６（ｂ）は、接合手段によって柱に接合された耐震補強材の下端部を示す正面図、図６（ｃ）は、図５（ｂ）のＡ−Ａ断面図である。
接合手段４０は、例えばＨ形鋼により形成された位置決め具７５と、耐震補強材３と位置決め具７５とを柱１３に固定する固定具としてのアンカー７６と、アンカー取付孔７７とを備える。
位置決め具７５は、被挟み部７８と、柱挟む挟み部７９と、補強材挟み部８０とを備える。被挟み部７８は、柱１３の前面１３ａと柱１３の前面１３ａの前側に設けられる耐震補強材３との間に挟まれる部分である。柱挟む挟み部７９は、被挟み部７８の両方の側部８１；８１より被挟み部７８の面と垂直に一方向に延長するよう形成されて柱１３の両側面５４；５４を挟む板部である。補強材挟み部８０は、被挟み部の両方の側面８１；８１より被挟み部７８の面と垂直に他方向に延長するよう形成されて耐震補強材３の両側面５３；５３を挟む板部である。
アンカー取付孔７７は、柱１３の前面１３ａより柱１３の内部に向けて形成されたアンカー固定孔７７ａと、位置決め具７５の被挟み部７８の両面に跨って貫通したアンカー通し孔７７ｂと、耐震補強材３の下端部１０の両面に跨って貫通したアンカー通し孔７７ｃとにより形成される。
【００２６】
次に、耐震補強材３の下端部１０の柱１３への接合方法を説明する。まず、柱１３にアンカー接合孔７７ａを形成する。取付具７５の柱挟む挟み部７９で柱１３を左右から挟むとともに被挟み部７８を柱１３の下端部の前面１３ａに設置する。補強材挟み部８０で挟み込まれるように耐震補強材３の下端部１０を設置する。アンカー通し孔７７ｃ、７７ｂ、及びアンカー固定孔７７ａとを一致させた状態で、アンカー７６をアンカー７６の先端側からアンカー通し孔７７ｃ、７７ｂに通してアンカー固定孔７７ａに固定することによって、取付具７５と耐震補強材３の端部１０とが柱１３に接合される。
尚、図示しないが、位置決め具７５の一方の柱挟む挟み部７９、柱１３、他方の柱挟む挟み部７９を横断するように貫通する貫通孔と、位置決め具７５の一方の柱挟む挟み部７９、耐震補強材３、他方の柱挟む挟み部７９を横断するように貫通する貫通孔と形成し、これら貫通孔にねじ棒を通してねじ棒の両端にナットを締結することによって、柱１３と位置決め具７５と耐震補強材３とを接合してもよい。また、柱挟む挟み部７９を貫通して耐震補強材３に係合するアンカーと柱挟む挟み部７９を貫通して柱１３に係合するアンカーとによって、柱１３と位置決め具７５と耐震補強材３とを接合してもよい。
【００２７】
最良の形態５
図７を参照し、耐震補強材３の下端部１０を柱１３に接合する接合手段４０を説明する。図７（ａ）は、接合手段によって柱に接合された耐震補強材の下端部を示す正面図、図７（ｂ）は、図７（ａ）のＡ−Ａ断面図である。
接合手段４０は、柱１３と柱１３の前面１３ａに配置された耐震補強材３とを有した柱部８５と、互いに隣り合う柱部８５と柱部８５との間に設置された取付具８６と、互いに隣り合う柱部８５の柱１３と耐震補強材３の相対向する側面の下端側に形成されたアンカー固定孔８７と、互いに隣り合う柱部８５；８５の柱１３と耐震補強材３とに取付具８６を固定する固定具としてのアンカー８８を備える。
取付具８６としては、例えば、図７（ａ）における左右の長さが柱部８５と柱部８５との間の長さと同じ長さに形成されて図７（ａ）の紙面と直交する方向である前後の長さが柱部８５の前後の長さと同じ長さに形成された矩形枠８９と矩形枠８９の互いに対向する角部を連結する連結棒９０とで形成されたトラス構造枠体が用いられる。図７（ｂ）における矩形枠８９の左右の辺部を形成する棒体９１には図７（ｂ）における棒体９１の左右の面に跨って貫通するアンカー通し孔９２が形成される。
【００２８】
次に、耐震補強材３の下端部１０の柱１３への接合方法を説明する。まず、互いに隣り合う柱部８５の柱３の下端部の側面と耐震補強材３の下端部の側面にそれぞれにアンカー固定孔８７を形成する。互いに隣り合う柱部８５と柱部８５との間の下部に取付具８６を設置する。アンカー通し孔９２とアンカー固定孔８７とを一致させた状態で、アンカー８８をアンカー８８の先端側からアンカー通し孔９２に通してアンカー固定孔８７に固定することによって、互いに隣り合う柱部８５の耐震補強材３同士及び柱１３同士が取付具８６とアンカー８８とによりと接合される。
尚、最良の形態５では、互いに隣り合う柱部８５と柱部８５とを取付具８６とアンカー８８とによりと接合したが、例えば、隣り合う柱１３の一方にのみ耐震補強材３を接合して、隣り合う柱１３の他方に耐震補強材３を接合しないような場合、取付具８６をアンカー８８によって一方の柱１３に接合するとともに、取付具８６をアンカー８８によって柱部８５を構成する他方の柱１３と耐震補強材３とに接合するようにしてもよい。
【００２９】
最良の形態６
図８を参照し、耐震補強材３の下端部１０を独立した柱１３に接合する接合手段４０を説明する。図８（ａ）は、接合手段によって柱に接合された耐震補強材の下端部を示す正面図、図８（ｂ）は、図８（ａ）のＡ−Ａ断面図である。尚、独立した柱１３とは、壁と連続していない柱をいう。
接合手段４０は、一対の挟み具９５；９５と、挟み具９５の両端に形成された棒通し孔９６と、両端に形成されたねじ部が挟み具の棒通し孔に通された連結棒９７と、締結具としてのナット９８とを備える。
一対の挟み具の１つ１つは、柱と柱の前面に配置された耐震補強材とを備えた柱部の前面と後面とに個別に設置されて両端部が柱部の側面より突出するよう位置される。
ナット９８は、連結棒９７のねじ部に螺着されて、一方の挟み具９５を耐震補強材３の前面３ｆに付勢し、他方の挟み具９５を柱１３の後面１３ｒに付勢する。
挟み具９５は、最良の形態１の取付具４３と同形状の長尺鋼材を用いる。連結棒９７も最良の形態１のねじ棒４２と同形状のＰＣ鋼棒と呼ばれるねじ棒を用いる。
【００３０】
次に、耐震補強材３の下端部１０の柱１３への接合方法を説明する。まず、柱１３の前面１３ａに耐震補強材３を設置して柱部８５を形成し、柱部８５の下端部の前面である耐震補強材３の前面３ｆに一方の挟み具９５を設置するとともに柱部８５の下端部の後面である柱１３の後面１３ｒに他方の挟み具９５を設置する。一対の挟み具９５；９５において相対峙する棒通し孔９６に連結棒９７を通し、連結棒９７の両端に座金９８ａ及びナット９８を螺入してナット９８を挟み具９５に締結することによって、一方の挟み具９５が耐震補強材３の前面３ｆに付勢され他方の挟み具９５が柱１３の後面１３ｒに付勢されて一対の挟み具９５で柱部８５の前後面を挟む圧力により、柱１３の前面１３ａに耐震補強材３の下端部１０が接合される。
【００３１】
最良の形態２乃至６においては、耐震補強材３と梁４とが最良の形態１と同じピン接合６により接合される。
最良の形態２乃至６によれば、接合手段４０による耐震補強材３の下端部１０と柱１３や床１１ａとの接合の際、及び、耐震補強材３と梁４とのピン接合６の際に、コンクリートやモルタルの打設作業を不要とできるので、型枠設置作業、打設作業を不要でき、コンクリートやモルタルを乾燥させる期間も不要となる。
従って、既存建物２の柱１３や梁４への耐震補強材３の接合作業を容易に行え、かつ、施工期間も短くできるという効果が得られる。
【産業上の利用可能性】
【００３２】
Ｌ字形状やコ字形状に形成された耐震補強材３を用いてもよい。
耐震補強材３は、鉄板、鋼板、鋳鉄板などの金属により形成されたものを用いてもよい。
既存建物２の躯体の一側面として、既存建物２の躯体の外部に面した外面に耐震補強材３を接合した例を示したが、既存建物２の室内に位置した躯体の一側面として内面に耐震補強材３を接合してもよい。
【図面の簡単な説明】
【００３３】
【図１】耐震補強材を既存建物の柱に接合する接合手段及び接合方法を示す図（最良の形態１）。
【図２】既存建物の梁と耐震補強材との接合方法及び接合手段を示す断面図（最良の形態１）。
【図３】建物をベランダ側から見た正面図（最良の形態１）。
【図４】耐震補強材を既存建物の柱に接合する接合手段及び接合方法を示す図（最良の形態２）。
【図５】耐震補強材を既存建物の床に接合する接合手段及び接合方法を示す図（最良の形態３）。
【図６】耐震補強材を既存建物の柱に接合する接合手段及び接合方法を示す図（最良の形態４）
【図７】耐震補強材を既存建物の柱に接合する接合手段及び接合方法を示す図（最良の形態５）
【図８】耐震補強材を既存建物の柱に接合する接合手段及び接合方法を示す図（最良の形態６）
【符号の説明】
【００３４】
１  建物、２  既存建物、３  耐震補強材、３  既存の集合住宅建物、４  梁、６  ピン接合、１１  ベランダ、１２  開口部、１３  柱、１５  ピン部、
１６  取付部、１７  脱落防止部、１８  固定部、１９  ピン固定孔、
２０  ピン、２１  固化剤、２２  ピン側係合部、２３  孔側係合部、
３３  ピン挿入孔、３４  固化剤、３５  ピン側係合部、３６  孔側係合部、
４０  接合手段、４１  ねじ棒通し孔、４２  ねじ棒、４３  取付具、
４６；４６；４７  ナット（締結具）、５５  嵌合孔、５６  取付具、
５８  アンカー（固定具）、６２  嵌合棒、６５  嵌合孔、６６  取付具、
６８  アンカー（固定具）、７０  嵌合棒、７５  位置決め具、
７６  アンカー（固定具）、７７  取付孔、７８  被挟み部、７９  柱挟み部、８０  補強材挟み部、８５  柱部、８６  取付具、８８  アンカー、
９５  挟み具、９６  棒通し孔、９７  連結棒、９８  ナット（締結具）。
【図１】
2008138407.tif 000003
【図２】
2008138407.tif 000004
【図３】
2008138407.tif 000005
【図４】
2008138407.tif 000006
【図５】
2008138407.tif 000007
【図６】
2008138407.tif 000008
【図７】
2008138407.tif 000009
【図８】
2008138407.tif 000010